(57)【要約】      （修正有）【課題】携帯情報端末を所望の壁面に簡単且つ確実に固定する壁掛けホルダを提供する。【解決手段】表示画面を備え、縦置き及び横置きの２通りの表示形式に対応した携帯情報端末用壁掛けホルダ１であって、壁面に沿って設置されるバックプレート１０と、このバックプレート１０を壁面に固定する固定手段と、バックプレート１０の上部に設けられ、外部入力に対して変形し且つ当該変形した形状を保持することができるフレキシブルアーム２０と、バックプレート１０の下部に設けられ、携帯情報端末の底部が載置される載置部３０であって、携帯情報端末を横置きした際の底部両端が載置される第1の載置部３０ａと、前記携帯情報端末を縦置きした際の底部両端が載置される第２の載置部３０ｂとを備えて構成する。【選択図】図１
0003162334.tif 000002
【実用新案登録請求の範囲】
【請求項１】
表示画面を備え、縦置き及び横置きの２通りの表示形式に対応した携帯情報端末用壁掛けホルダであって、
壁面に沿って設置されるバックプレートと、
当該バックプレートを前記壁面に固定する固定手段と、
前記バックプレートの上部に設けられ、外部入力に対して変形し且つ当該変形した形状を保持することができるフレキシブルアームと、
前記バックプレートの下部に設けられ、前記携帯情報端末の底部が載置される載置部と、を備える
ことを特徴とする携帯情報端末用壁掛けホルダ。
【請求項２】
請求項１において、
前記載置部は、前記携帯情報端末を横置きした際の底部両端が載置される第1の載置部と、前記携帯情報端末を縦置きした際の底部両端が載置される第２の載置部とを備える
ことを特徴とする携帯情報端末用壁掛けホルダ。
【請求項３】
請求項２において、
前記第１、第２の載置部には、前記携帯情報端末の横方向の位置ずれを防止する側方隆起が形成されている
ことを特徴とする携帯情報端末用壁掛けホルダ。
【請求項４】
請求項２または３において、
前記第１、第２の載置部には、前記携帯情報端末の手前方向の位置ずれを防止する前方隆起が形成されている
ことを特徴とする携帯情報端末用壁掛けホルダ。
【請求項５】
請求項１〜４のいずれかにおいて、
前記フレキシブルアームが、前記バックプレートから左右にそれぞれ１本ずつ設けられている
ことを特徴とする携帯情報端末用壁掛けホルダ。
【請求項６】
請求項１〜５のいずれかにおいて、
前記バックプレートには、ビス留め用の穴が形成されている
ことを特徴とする携帯情報端末用壁掛けホルダ。
【請求項７】
請求項１〜６のいずれかにおいて、
各部表面に抗菌処理が施されている
ことを特徴とする携帯情報端末用壁掛けホルダ。
【考案の詳細な説明】
【技術分野】
【０００１】
本考案は、壁面に物を固定するための壁掛け具の技術分野に関する。
【背景技術】
【０００２】
近年、ｉＰａｄ（アップルインコーポレイテッド社の登録若しくは出願中の商標）に代表される、タブレット形式の携帯情報端末が数多く登場している。これら携帯情報端末は、文字や画像を表示することができる表示画面を備え、当該表示画面に直接指で触れることによって多くの操作を実現できる。また、電話回線や無線ＬＡＮ回線等を利用してインターネットに接続可能とされていて、当該携帯情報端末を利用して動画を見たり、所望の情報を検索するなど、日常生活においても利用場面が増加する傾向にある。
【先行技術文献】
【非特許文献】
【０００３】
【非特許文献１】Apple Storeウェブサイト（http://store.apple.com/jp/browse/home/shop_ipad/family/ipad?mco=OTY2ODA0NQ）
【考案の概要】
【考案が解決しようとする課題】
【０００４】
上記で示した携帯情報端末は、その名の通り「携帯」するものであることから、手に持って自由に持ち歩くことも容易である。例えば屋内の好みの場所、更には屋外であっても自由に持ち歩くことができる。それ故、日常のどういった場面であっても「今この場所で使いたい」、「直ぐ使いたい」という要望が湧き上がる。
【０００５】
しかしながら、例えばキッチンで料理をしている時など、両手が塞がっているような場面ではさすがに利用が困難である。一方で、料理のレシピに関する情報や料理手順が示された動画を見ながら料理をしたり、ちょっとした料理の待ち時間を利用して（手を塞ぐことなく）携帯情報端末を利用できれば非常に便利である。
【０００６】
本考案は、このような問題を解決するべくなされたものであって、携帯情報端末を所望の壁面に簡単且つ確実に固定することができる携帯情報端末用壁掛けホルダを提供することをその目的としている。
【課題を解決するための手段】
【０００７】
上記目的を達成するべく、請求項１に記載の本考案は、表示画面を備え、縦置き及び横置きの２通りの表示形式に対応した携帯情報端末用壁掛けホルダであって、壁面に沿って設置されるバックプレートと、当該バックプレートを前記壁面に固定する固定手段と、前記バックプレートの上部に設けられ、外部入力に対して変形し且つ当該変形した形状を保持することができるフレキシブルアームと、前記バックプレートの下部に設けられ、前記携帯情報端末の底部が載置される載置部と、を備えることを特徴とする。
【０００８】
また請求項２に記載の本考案は、請求項１の考案に加えて、前記載置部が、前記携帯情報端末を横置きした際の底部両端が載置される第1の載置部と、前記携帯情報端末を縦置きした際の底部両端が載置される第２の載置部とを備えることを特徴とする。
【０００９】
また請求項３に記載の本考案は、請求項２の考案に加えて、前記第１、第２の載置部に、前記携帯情報端末の横方向の位置ずれを防止する側方隆起が形成されていることを特徴とする。
【００１０】
また請求項４に記載の本考案は、請求項２又は３の考案に加えて、前記第１、第２の載置部に、前記携帯情報端末の手前方向の位置ずれを防止する前方隆起が形成されていることを特徴とする。
【００１１】
また請求項５に記載の本考案は、請求項１〜４のいずれかの考案に加えて、前記フレキシブルアームが、前記バックプレートから左右にそれぞれ１本ずつ設けられていることを特徴とする。
【００１２】
また請求項６に記載の本考案は、請求項１〜５のいずれかの考案に加えて、前記バックプレートに、ビス留め用の穴が形成されていることを特徴とする。
【００１３】
また請求項７に記載の本考案は、請求項１〜６のいずれかの考案に加えて、各部表面に抗菌処理が施されていることを特徴とする。
【考案の効果】
【００１４】
請求項１に記載の考案により、所望の壁面に携帯情報端末を固定することが出来る。このとき携帯情報端末の固定は、当該端末の底部（下部）を載置部に載置すると共に当該端末の上部をフレキシブルアームで引っ掛ける（巻き付ける）だけといった簡単な作業で実現できる。
【００１５】
請求項２に記載の考案により、携帯情報端末を縦置き及び横置きのいずれの状態でも固定することができる。このとき縦置き時と横置き時のそれぞれで専用の載置部が設けられているので、載置後の位置ズレやガタツキが生じることなく、しっかり固定することができる。
【００１６】
請求項３に記載の考案により、載置後、携帯情報端末を操作等した場合においても、当該端末が横方向に位置ズレを起こしたり、場合により落下することを確実に防止することができる。
【００１７】
請求項４に記載の考案により、載置後、携帯情報端末を操作等した場合においても、当該端末（の下部）が手前方向に位置ズレを起こしたり、場合により落下することを確実に防止することができる。
【００１８】
請求項５に記載の考案により、携帯情報端末の左右方向から（２本の）フレキシブルアームで本体上部を引っ掛ける（押さえ付ける）ことが可能となり、より確実且つバリエーションに富んだ固定が可能となる。
【００１９】
請求項６に記載の考案により、当該ホルダを壁面に固定する際に、ビズ止めによってより強固な固定を実現でき、ホルダ全体の落下を確実に防止できる。即ち、落下による携帯情報端末の破損等を防止することができる。
【００２０】
請求項７に記載の考案により、例えば台所で使用する場合など、雑菌の繁殖を防止でき、衛生的に使用することができる。
【図面の簡単な説明】
【００２１】
【図１】（ａ）が本考案にかかる携帯情報端末用壁掛けホルダの正面図、（ｂ）が同背面図である。
【図２】（ａ）が図１における矢示Ａ−Ａ線に沿う断面図、（ｂ）が図１におけるＸ部周辺拡大図である。
【図３】（ａ）が図１における矢示Ｂ−Ｂ図に沿う断面図、（ｂ）が固定手段として両面粘着テープが使用された場合の矢示Ｂ−Ｂ図に沿う断面図である。
【図４】（ａ）が携帯情報端末を横置きした場合の使用状態図、（ｂ）が携帯情報端末を縦置きした場合の使用状態図である。
【図５】本考案にかかる携帯情報端末用壁掛けホルダの他の利用方法を示した使用状態図であって、（ａ）がフレキシブルアームに台所用品を保持させている状態、（ｂ）がフレキシブルアームにタオルを保持させている状態を示した図である。
【考案を実施するための形態】
【００２２】
以下、添付図面を参照しつつ、本考案の実施形態の一例につき詳細に説明を加える。
【００２３】
〈携帯情報端末用壁掛けホルダの構成〉
本考案にかかる携帯情報端末用壁掛けホルダ１は、所望の壁面に沿って設置されるバックプレート１０と、当該バックプレート１０を前記壁面に固定するためのビス４０及びビス取付け穴（固定手段）１８と、このバックプレート１０の上部に設けられ、外部入力に対して変形し且つ当該変形した形状を保持することができるフレキシブルアーム２０と、バックプレート１０の下部に設けられ、携帯情報端末の底部が載置される載置部３０と、を備えている。
【００２４】
本実施形態におけるバックプレート１０は、正面視、上方及び左右斜め下方に略１２０°の角度で三つ叉状に分岐した形状をなしている。上方に伸びた上腕部１１、左側下方に伸びた左腕部１２、右側下方に伸びた右腕部１３を有してなる。各腕部１１、１２，１３にはそれぞれビス４０（図３（ａ）参照）を通すためのビス留め用穴１８が１つずつ形成されている。また、これらの各部は全て樹脂により一体成形されている。
【００２５】
上腕部１１の上端には、前方（正面側）に隆起して厚みを増すと共に上方に向かって扇状に広がったアーム固定部１４が一体的に形成されている。一方、左腕部１２及び右腕部１３の下端にはそれぞれ載置部３０（詳細は後述する。）が一体的に形成されている。
【００２６】
本実施形態における固定手段は、本体部１０に備わるビス留め用穴１８とビス４０（図３（ａ）参照）で実現されている。もちろんこれ以外にも両面粘着テープ４２（図３（ｂ）参照）を用いてもよいし、これらを併用して構成することもできる。
【００２７】
本実施形態におけるフレキシブルアーム２０は、バックプレート１０の上部に形成されたアーム固定部１４から左右にそれぞれ１本ずつ設けられている。正面視右側に位置する右側アーム２０ａと左側に位置する左側アーム２０ｂである。左側アーム２０ｂを例に説明すると、心材としての金属製針金２４と当該針金２４を被覆する柔軟性材料２５とで構成される（図２（ａ）参照）。この柔軟性材料はゴムやシリコン、更にはビニールなどの樹脂により構成するのが好ましい。また、符合２２は各アームの先端を保護している保護キャップである。なお、右側アーム２０ａについても同じ構成である。このような構成を採用していることによって、フレキシブルアーム２０に対してある程度の力を加えると所望の形状に自由に折曲げることができる。更にそのままの形状を保持することも可能である。
【００２８】
本実施形態における載置部３０は、パックプレート１０の下端に一体的に形成されており、第１の載置部３０ａと第２の載置部３０ｂとからなる。右腕部１３の下端から更に二股に分かれて第１爪部３１と第３爪部３３が形成されている。一方、左腕部１２の下端からも更に二股に分かれて第２爪部３２と第４爪部３４が形成されている。第１爪部３１と第２爪部３２とが対となって、携帯情報端末５０を横置きした際の底部両端が載置される第１の載置部３０ａを構成する。同様に、第３爪部３３と第４爪部３４とが対となって、携帯情報端末５０を縦置きした際の底部両端が載置される第２の載置部３０ｂを構成する。
【００２９】
各爪部３１、３２、３３、３４には、丁度携帯情報端末５０の角部が収まるような凹部が形成されている。具体的には携帯情報端末５０の横方向の位置ずれを防止する側方隆起３１ａ、３２ａ、３３ａ、３４ａと、更に、携帯情報端末５０の手前方向の位置ずれを防止する前方隆起３１ｂ、３２ｂ、３３ｂ、３４ｂが形成されている。
【００３０】
なお、上記説明した各部の表面には、抗菌処理が施されている。この抗菌処理は、各部表面に抗菌性材料を塗布することによって実現してもよいし、各部を構成する材料自体に抗菌性材料を混入させることによって実現してもよい。
〈携帯情報端末用壁掛けホルダの作用・機能〉
次に携帯情報端末用壁掛けホルダ１の使い方と共に、その作用・機能を説明する。
【００３１】
最初に携帯情報端末用壁掛けホルダ１を所望の壁面に固定しておく。当該固定は、両面粘着テープ４２によってもよいし、ビス４０を利用して強固に固定してもよい。
【００３２】
次に、携帯情報端末５０を所望の置き方（横置き若しくは縦置き）で当該ホルダ１に固定する。最初に携帯情報端末５０の底部（下部）を載置部３０に載置する。横置きの場合は第１の載置部３０ａである第１爪部３１と第２爪部３２を使用する。一方、縦置きの場合は第２の載置部３０ｂである第３爪部３３と第４爪部３４を使用する。
【００３３】
端末５０の底部（下部）を載置部３０に載置した後、続いてフレキシブルアーム２０を、端末５０の上部両端に引っ掛けるように巻き付ける。この時、携帯情報端末５０を壁面側に押さえ付けるようにして巻き付けてもよいし、少し端末５０の上部が手前方向に傾くような態様で巻き付けてもよい。このように巻き付けることでフレキシブルアーム２０が表示画面５２を遮ることがないので、表示画面５２が見難くなったり、操作し難くなることはない。
【００３４】
また、載置部３０には、側方隆起３１ａ、３２ａ、３３ａ、３４ａや前方隆起３１ｂ、３２ｂ、３３ｂ、３４ｂが形成されているので、操作等の際に誤って端末５０が、左右方向に位置ズレしたり、手前方向に位置ズレずることがなく安定した固定を実現できる。
【００３５】
また、本考案にかかる携帯情報端末用壁掛けホルダ１による端末５０の固定は、主に当該端末の４つの角部分を利用して固定している。よって、各辺の中央付近に備わっていることが多い各種コネクタやプラグ類を塞ぐことが無く、ホルダに固定したままでＡＣアダプタとの接続や、外部機器との接続を行うことが容易である。
【００３６】
このように本考案にかかる携帯情報端末用壁掛けホルダ１は、簡単に端末５０を壁面に安定して固定することができると共に、両手を塞ぐことなく所望の位置で端末５０の操作等を可能としている。
【００３７】
なお、本考案にかかる携帯情報端末用壁掛けホルダは、端末５０を固定していないときにも色々な物を引っ掛けておくことが可能である。例えば図５に示しているように、台所で使用する場合であれば、お玉６０やヘラ６２、調理バサミ６４をフレキシブルアーム２０に引っ掛けておくことができる。フレキシブルアーム２０は自由に形を変えることができるので、滑り落ちないように湾曲させて使用すると便利である。更に、フレキシブルアーム２０を水平に真っ直ぐに伸ばしてタオルなどを掛けておくこともできる。こういった使い方をした場合においても、本考案にかかるホルダ１の表面は抗菌処理がなされているので雑菌の繁殖も無く衛生的に使用することが可能となっている。
【００３８】
〈その他の実施形態〉
上記では、バックプレート１０の形状が３つ又に分かれたデザイン性の高いものであったが、このような形状に限定されるものではない。例えば矩形のプレートであってよいし、円形のプレートであってもよい。壁面に沿って設置できる限りにおいて所望の形状で構成することができる。
【００３９】
また上記では、載置部３０が携帯情報端末５０の縦置きと横置きの２通りに対応していたが、別々の機種に対応した載置部であってもよい。例えば第１の載置部が特定の機種Ａ専用であり、第２の載置部が他の特定の機種Ｂ専用といった具合である。更に、載置部は２つに限定されるものではなく、３つ以上の載置部が形成されていてもよい。
【符号の説明】
【００４０】
１…携帯情報端末用壁掛けホルダ
１０…バックプレート
１８…ビス固定用穴（固定手段）
２０…フレキシブルアーム
３０…載置部
３１ａ、３２ａ、３３ａ、３４ａ…側方隆起
３１ｂ、３２ｂ、３３ｂ、３４ｂ…前方隆起
【図１】
0003162334.tif 000003
【図２】
0003162334.tif 000004
【図３】
0003162334.tif 000005
【図４】
0003162334.tif 000006
【図５】
0003162334.tif 000007